(57)【要約】【目的】  応接空間を備える玄関の構成を提供する。【構成】  スロ−プ１の２つの側面２の各々が上がり框３及び、玄関側壁４と交差する第１壁５に接する、上がり框３に横付けされた状況のスロ−プ１を設け、玄関土間６とスロ−プ１を介する着脱スペ−ス７を設け、上がり框３と着脱スペ−ス７を介する箇所に第１壁収納８を設け、上がり框３とスロ−プ１を介する箇所に第２壁収納９を設け、第１壁収納８と第２壁収納９は一体成型される様にした玄関１０であって、玄関側壁４の背になる第２壁１１に第１扉１２を設け、第１扉１２により出入りするトイレ１３を設け、ホ−ル１４と生活空間を介する第３壁１５に第２扉１６を設け、玄関１０とホ−ル１４を応接空間と処することにより、第２扉１６を閉じることで玄関１０と生活空間は第３壁１５により区分されることになる、ホ−ル１４が客間の機能を兼ねる様にした玄関にする。【選択図】図１
2012241512.tif 000002
【特許請求の範囲】
【請求項１】
スロ−プ（１）の２つの側面（２）の各々が上がり框（３）及び、玄関側壁（４）と交差する第１壁（５）に接する、上がり框（３）に横付けされた状況のスロ−プ（１）を設け、玄関土間（６）とスロ−プ（１）を介する着脱スペ−ス（７）を設け、上がり框（３）と着脱スペ−ス（７）を介する箇所に第１壁収納（８）を設け、上がり框（３）とスロ−プ（１）を介する箇所に第２壁収納（９）を設け、第１壁収納（８）と第２壁収納（９）は一体成型される様にした玄関（１０）であって、玄関側壁（４）の背になる第２壁（１１）に第１扉（１２）を設け、第１扉（１２）により出入りするトイレ（１３）を設け、ホ−ル（１４）と生活空間を介する第３壁（１５）に第２扉（１６）を設け、玄関（１０）とホ−ル（１４）を応接空間と処することにより、第２扉（１６）を閉じることで玄関（１０）と生活空間は第３壁（１５）により区分されることになる、ホ−ル（１４）が客間の機能を兼ねる様にした玄関。
【発明の詳細な説明】
【技術分野】
【０００１】  本発明は住宅に設ける玄関に関するものである。
【背景技術】
【０００２】  客人は住宅に設ける客間に通されることが普通である。
【発明が解決しようとする課題】
【０００３】  但し、客人によっては、又、会話の内容によっては、という事情以外に、そもそも応接とは、生活感のある中では相応しくないということもあるものと思われる。客間、或いは、生活空間があるのに対して、応接空間という環境設定があっても良いのではないだろうか。因って、応接空間を備える玄関の構成を提供する。
【課題を解決するための手段】
【０００４】  スロ−プ１の２つの側面２の各々が上がり框３及び、玄関側壁４と交差する第１壁５に接する、上がり框３に横付けされた状況のスロ−プ１を設け、玄関土間６とスロ−プ１を介する着脱スペ−ス７を設け、上がり框３と着脱スペ−ス７を介する箇所に第１壁収納８を設け、上がり框３とスロ−プ１を介する箇所に第２壁収納９を設け、第１壁収納８と第２壁収納９は一体成型される様にした玄関１０であって、玄関側壁４の背になる第２壁１１に第１扉１２を設け、第１扉１２により出入りするトイレ１３を設け、ホ−ル１４と生活空間を介する第３壁１５に第２扉１６を設け、玄関１０とホ−ル１４を応接空間と処することにより、第２扉１６を閉じることで玄関１０と生活空間は第３壁１５により区分されることになる、ホ−ル１４が客間の機能を兼ねる様にした玄関にする。
【発明を実施するための形態】
【０００５】  本発明においては玄関１０を住宅の角に配置している。この場合は玄関扉１７の位置により２通りの間取りが考えられる。つまり、玄関扉１７が北側に面している状況では、玄関扉１７を西寄りに配置する図１に示す様なもの、又は、玄関扉１７を東寄りに配置する図２に示す様なものが考慮できる。両図は各々東西を対称的に配置したものと言えるが、因に、図面の下側が北側となる。
さて、［０００４］に示される上がり框３は主に客人が使うことを目的とし、スロ−プ１は主に住人が使うことを目的とするものである。玄関扉１７と対向する位置にある上がり框３は客人にとっては利用し易いものである。又、げた箱として使われる第１壁収納８が玄関側壁４に沿って配置されない状況により通路として捉える概念も作用することになる。客人は上がり框３から招かれ、玄関１０と同空間にあるホ−ル１４を勧められる。ホ−ル１４には応接に要するテ−ブル１８、椅子１９の設備が用意されている訳である。又、［０００４］に示される、玄関側壁４と第１壁５、第２壁１１及び、玄関壁２０に囲まれることになるトイレ１３については、トイレ１３が応接空間内にあることにより、客人がトイレの使用を目的に第３壁１５を隔てた生活空間に立ち入る必要もなく、住人のプライバシ−が守られることになる。つまり、応接の事前においては図２に示す様に第２扉１６を閉じ、更に施錠をしておくならば、客人は生活空間へは立ち入れないのである。但し、来客のない日常においては図１に示す様に第２扉１６を開放にしておくならば、解放感や採光が得られ、応接空間からの明かりが廊下２１や階段２２へ届くことになる。
つまり、応接空間を備える玄関１０とは、玄関１０とホ−ル１４を応接空間と処する考え方に基づくものであり、即ち、客間の機能を兼ねるホ−ル１４やトイレ１３を有しつつ、適所に配置された玄関１０を示唆するものである。殊に、上がり框３に加え、別途のスロ−プ１を設ける玄関１０においては占有面積が拡大する懸念があるため、寧ろ、玄関１０とホ−ル１４を一つの部屋として集約すべきは有り得る訳で、本発明の構成によりその思想を具体化することができる。
【実施例】
【０００６】  又、ホ−ル１４は上がり框３からスロ−プ１に及ぶものであるが、そのホ−ル１４の角が適所であろうと判断し、トイレ１３の設置箇所を決定した次第である。なお、応接空間内のトイレ１３とは別に、生活空間内にもトイレがあることが理想的であるが、勿論、このトイレ１３のみで対応することも可能である。
又、本発明においては応接空間とダイニングキッチン２３を住宅の南側に併設する様にした。なお、廊下２１に沿って設置されることになる生活空間内のトイレや浴室等と、ダイニングキッチン２３との往来を勘案し、ダイニングキッチン２３と廊下２１を介する第４壁２４に別途の扉を設けて円滑に行える様にすることも動線の観点から望ましいと言える。
又、図２に示す様に、第１壁収納８に収納できる引き戸２５を設けることも考えられる。つまり、引き戸２５を上がり框３に沿って引き出すことにより、玄関土間６から臨む引き戸２５が応接空間を隠蔽し、応接時のプライバシ−が守られることになる。来客のない日常においても応接空間が部屋として機能するための要素になり得る引き戸２５の構成であるが、この引き戸２５は第１壁収納８の背板に沿って露出させた状態で収納できる様にしても良い。
因に、図２については、玄関１０が応接空間を備えた一つの部屋であることを理解して頂くために太線で表記をし、又、符号においては、一つの部屋を示せる第２扉１６、説明のための引き戸２５、客人が使用する玄関扉１７、玄関１０、上がり框３、ホ−ル１４、トイレ１３、描かれる、テ−ブル１８、椅子１９、又、会食時に使用される、ダイニングキッチン２３、第３扉２６に留めるものである。
【発明の効果】
【０００７】（イ）  突然の来客において従来の客間やトイレ等では対処し得ないことも、この構成には普段からの心構えを持てるという安心感がある。又、上がり框３及びホ−ル１４が玄関扉１７と対向する位置にあることで動線に優れ、玄関扉１７が北側に面しているならば心地良い南側での応接が行えることにより、客人に好感を与える。又、動線について、応接空間とダイニングキッチン２３を併設することにより、会食の際には両者を介する第３扉２６を通してテ−ブル１８会食の持て成しや片付けが円滑に行えること、又、来客のない日常においては第２扉１６及び廊下２１がスロ−プ１と対向する位置にあること等も動線に優れると言える。
（ロ）  南側の第１窓２７からの採光が期待できる他、住宅の角に玄関１０を配置することで応接空間の採光効率が高められる。つまり、玄関扉１７がある玄関壁２０に設ける第２窓２８、玄関壁２０と交差する外壁２９に設ける第３窓３０からも採光が行え、因って、３方角の光を取り込んだ明るい部屋で応接が行える。
（ハ）  玄関１０を北側に配置することにより、南側の応接空間とダイニングキッチン２３の占有面積が十分に確保できる。
（ニ）  プライバシ−が守られる引き戸２５については、引き戸２５の代替として開き戸にする場合は、外壁２９の方向へ開く開き戸にすることが適切である。
【図面の簡単な説明】
【図１】  玄関１０周辺を示す間取り図
【図２】  方位違いの配置となる玄関１０周辺を示す間取り図
【符号の説明】  １  スロ−プ            ２  側面                      ３  上がり框
４  玄関側壁            ５  第１壁                    ６  玄関土間
７  着脱スペ−ス        ８  第１壁収納                ９  第２壁収納
１０  玄関              １１  第２壁                  １２  第１扉
１３  トイレ            １４  ホ−ル                  １５  第３壁
１６  第２扉            １７  玄関扉                  １８  テ−ブル
１９  椅子              ２０  玄関壁                  ２１  廊下
２２  階段              ２３  ダイニングキッチン      ２４  第４壁
２５  引き戸            ２６  第３扉                  ２７  第１窓
２８  第２窓            ２９  外壁                    ３０  第３窓
【図１】
2012241512.tif 000003
【図２】
2012241512.tif 000004